(57)【要約】【課題】ディスクケース間に存在するリブによるデッドスペースを無くしてディスクケースの収納数を増やし、しかも取り出し易くする。【解決手段】ディスクケース収納部（１１）内の底面（１４）には、ディスクケースの第一載置部（１５）と第二載置部（２１）が隣接して平行にかつ交互に立設され、第一載置部（１５）の上面（１６）はディスクケース収納部（１１）の幅方向（Ｗ１）における一端側（Ｗ１ａ）で高く、他端側（Ｗ１ｂ）で低くなる傾斜面とされる一方、第二載置部の上面（２２）は、第一載置部（１５）の上面（１６）が高くなる幅方向の一端側（Ｗ１ａ）で第一載置部の上面（１６）より低く、第一載置部の上面（１６）が低くなる幅方向の他端側（Ｗ１ｂ）で第一載置部の上面（１６）より高くなる傾斜面とされる。【選択図】        図３
2005263303.tif 000002
【特許請求の範囲】
【請求項１】
ディスクケースを立てて複数個並列状態で収納可能なディスクケース収納部（１１）を備えるディスクケース用収納ボックス（１０）において、
前記ディスクケース収納部（１１）内には、ディスクケースの第一載置部（１５）と第二載置部（２１）が隣接して平行にかつ交互に立設され、
前記第一載置部（１５）は、前記ディスクケース収納部（１１）の幅方向（Ｗ１）における一端側（Ｗ１ａ）を他端側（Ｗ１ｂ）よりも高くする第一載置部用突部（１５Ａ）が前記ディスクケース収納部（１１）内の底面（１４）に形成される一方、前記第二載置部（２１）は、前記幅方向の一端側（Ｗ１ａ）を前記第一載置部（１５）の前記幅方向における一端側（Ｗ１ａ）より低くすると共に、前記幅方向の他端側（Ｗ１ｂ）を前記第一載置部（１５）の前記幅方向における他端側（Ｗ１ｂ）よりも高くし、かつ前記第二載置部（２１）の前記幅方向における一端側（Ｗ１ａ）よりも高くする第二載置部用突部（２１Ａ）が前記ディスクケース収納部内（１１）の底面（１４）に形成され、
前記第一載置部（１５）及び前記第二載置部（１６）に各々前記ディスクケースが立てて載置されることを特徴とするディスクケース用収納ボックス。
【請求項２】
前記第一載置部用突部（１５Ａ）の上面（１６）は前記ディスクケース収納部（１１）の幅方向における一端側（Ｗ１ａ）で高く、他端側（Ｗ１ｂ）で低くなる傾斜面とされる一方、前記第二載置部用突部（２１Ａ）の上面（２２）は前記第一載置部用突部（１５Ａ）の上面（１６）が高くなる前記幅方向の一端側（Ｗ１ａ）で前記第一載置部用突部（１５Ａ）の上面（１６）より低く、前記第一載置部用突部（１５Ａ）の上面（１６）が低くなる前記幅方向の他端側（Ｗ１ｂ）で前記第一載置部用突部（１５Ａ）の上面（１６）より高くなる傾斜面で構成されていることを特徴とする請求項１に記載のディスクケース用収納ボックス。
【請求項３】
ディスクケースを立てて複数個並列状態で収納可能なディスクケース収納部（５１）を備えるディスクケース用収納ボックス（５０）において、
前記ディスクケース収納部（５１）内は、前記ディスクケース収納部（５１）の幅方向（Ｗ３）における一端側（Ｗ３ａ）の側壁（５２ａ）又は一端側（Ｗ２ａ）の底面（５４）の何れか一方にあるいは両方にまたがって、前記ディスクケース収納部の長さ方向（Ｌ３）に対して所定間隔で第一仕切用突部（５５）が形成され、前記第一仕切用突部（５５）と前記幅方向の他端側（Ｗ３ｂ）の側壁（５２ｂ）間の底面がディスクケースの第一載置部（５６）とされる一方、前記ディスクケース収納部（５１）の幅方向（Ｗ３）における他端側（Ｗ３ｂ）には、前記第一仕切用突部（５５）間を前記ディスクケース収納部の幅方向（Ｗ３）に沿って延長した位置の側壁（５２ｂ）又は底面（５４）の何れか一方にあるいは両方にまたがって、第二仕切用突部（５７）が形成され、前記第二仕切用突部（５７）と前記幅方向一端側（Ｗ３ａ）の側壁（５２ａ）間の底面がディスクケースの第二載置部（５８）とされ、
前記第一載置部（５６）及び前記第二載置部（５８）に各々前記ディスクケースが立てて載置されることを特徴とするディスクケース用収納ボックス。
【発明の詳細な説明】
【技術分野】
【０００１】
この発明は、ＣＤやＤＶＤなどの記録媒体ディスクが着脱可能に収容される平面視略矩形のディスクケースを、立てて複数個並列状態で収納可能なディスクケース用収納ボックスに関する。
【背景技術】
【０００２】
前記ディスクケース用収納ボックスは、家庭内で使用されるものや、自動車内でコンソールボックスとして使用されるものなどがある。従来、前記ディスクケース用収納ボックスとして、例えば、図１３の斜視図及びその正面図である図１４に示すディスクケース用収納ボックス９０がある。前記ディスクケース用収納ボックス９０は、ディスクケース収納部９１の底面に、仕切用リブ９２が所定間隔で複数立設されていて、前記リブ９２間にディスクケース９５を立てて複数個並列状態で収納するようになっている。
【０００３】
しかし、従来のディスクケース用収納ボックス９０にあっては、前記ディスクケース９５間に存在する仕切用リブ９２の部分がデッドスペースとなるため、収納可能なディスクケースの数が、ディスクケース用収納ボックス９０の大きさの割には少ない問題がある。例えば、ディスクケース収納部９１の底面に１．５ｍｍ厚の仕切用リブ９２が９個立設されて、１０枚のディスクケースが収納可能とされたディスクケース用収納ボックス７０にあっては、９個の仕切用リブの総厚み、すなわち、１．５ｍｍ×９＝１３．５ｍｍの厚みが無駄になり、その分だけディスクケース用収納ボックス９０に収納可能なディスクケースの数が減少する。
【０００４】
しかも、前記ディスクケース収納部９１に仕切用リブ９２を介して隣り合うように収納されたディスクケース９５同士は、ディスクケース９５間に前記仕切用リブ９２による僅かな隙間Ｓが存在するものの、前記ディスクケース９５の外周縁が、前記ディスクケース収納部９１の長さ方向Ｌに対して一直線に並んで重なるため、目的のディスクケース、例えば図１０に示すディスクケース９５ａを取り出す際に、隣のディスクケース９５ｂ．９５ｃに邪魔されて目的のディスクケース９５ａを掴み難く、取り出し難い問題がある。
【特許文献１】特開平８−２４０５８号公報
【特許文献２】実開平６−８１９９１号公報
【発明の開示】
【発明が解決しようとする課題】
【０００５】
この発明は前記の点に鑑みなされたもので、ディスクケース間に存在するリブによるデッドスペースを無くし、ディスクケースの収納数を増やすことが可能で、しかも取り出し易いディスクケース用収納ボックスの提供を目的とする。
【課題を解決するための手段】
【０００６】
請求項１の発明は、ディスクケースを立てて複数個並列状態で収納可能なディスクケース収納部を備えるディスクケース用収納ボックスにおいて、前記ディスクケース収納部内には、ディスクケースの第一載置部と第二載置部が隣接して平行にかつ交互に立設され、前記第一載置部は、前記ディスクケース収納部の幅方向における一端側を他端側よりも高くする第一載置部用突部が前記ディスクケース収納部内の底面に形成される一方、前記第二載置部は、前記幅方向の一端側を前記第一載置部の前記幅方向における一端側より低くすると共に、前記幅方向の他端側を前記第一載置部の前記幅方向における他端側よりも高くし、かつ前記第二載置部の前記幅方向における一端側よりも高くする第二載置部用突部が前記ディスクケース収納部内の底面に形成され、前記第一載置部及び前記第二載置部に各々前記ディスクケースが立てて載置されることを特徴とする。
【０００７】
請求項２の発明は、請求項１において、前記第一載置部用突部の上面は前記ディスクケース収納部の幅方向における一端側で高く、他端側で低くなる傾斜面とされる一方、前記第二載置部用突部の上面は前記第一載置部用突部の上面が高くなる前記幅方向の一端側で前記第一載置部用突部の上面より低く、前記第一載置部用突部の上面が低くなる前記幅方向の他端側で前記第一載置部用突部の上面より高くなる傾斜面で構成されていることを特徴とする。
【０００８】
請求項３の発明は、ディスクケースを立てて複数個並列状態で収納可能なディスクケース収納部を備えるディスクケース用収納ボックスにおいて、前記ディスクケース収納部内は、前記ディスクケース収納部の幅方向における一端側の側壁又は一端側の底面の何れか一方にあるいは両方にまたがって、前記ディスクケース収納部の長さ方向に対して所定間隔で第一仕切用突部が形成され、前記第一仕切用突部と前記幅方向の他端側の側壁間の底面がディスクケースの第一載置部とされる一方、前記ディスクケース収納部の幅方向における他端側には、前記第一仕切用突部間を前記ディスクケース収納部の幅方向に沿って延長した位置の側壁又は底面の何れか一方にあるいは両方にまたがって、第二仕切用突部が形成され、前記第二仕切用突部と前記幅方向一端側の側壁間の底面がディスクケースの第二載置部とされ、前記第一載置部及び前記第二載置部に各々前記ディスクケースが立てて載置されることを特徴とする。
【発明の効果】
【０００９】
請求項１及び請求項２の発明によれば、前記第一載置部と前記第二載置部が隣接して平行にかつ交互に立設されているため、前記第一載置部間に前記第二載置部が位置し、また前記第二載置部間に前記第一載置部が位置する。しかも前記第一載置部が高くなっている一端側では、前記第二載置部が低くなっているため、前記第二載置部の低い端部とその両側の前記第一載置部の高い端部とで溝が構成される。したがって、前記第二載置部にディスクケースを載置すれば、前記一端側ではディスクケースが第一載置部により挟まれて位置決め保持されることになる。また、前記第一載置部が低くなっている他端側では、前記第二載置部が高くなっているため、前記第一載置部の低い端部とその両側の前記第二載置部の高い端部とで溝が構成される。したがって、前記第一載置部にディスクケースを載置すれば、前記他端側ではディスクケースが第二載置部により挟まれて位置決め保持される。このように前記ディスクケースが載置される前記第一載置部と前記第二載置部の間には、仕切用リブが存在しなくてもディスクケースを位置決め保持することができ、しかも仕切用リブにより生じるデッドスペースを無くすことができ、ディスクケースの収納数あるいは収納スペースを増やすことができる。また、ディスクケース用収納ボックスのサイズをコンパクトにすることが可能となる。さらに、前記第一載置部と前記第二載置部は、互いに反対側が高くなっているため、前記第一載置部に立てて載置されたディスクケースと前記第二載置部に立てて載置されたディスクケースとは、互いに反対方向へ傾斜した状態となり、前記ディスクケース収納部内の幅方向両端では、ディスクケースの上部コーナー部が一つおきに上方へ突出するので、目的のディスクケースをディスクケース収納部から掴み出し易くなる。
【００１０】
請求項３の発明によれば、ディスクケース収納部内の幅方向における一端側には、前記ディスクケース収納部の長さ方向に対して所定間隔で第一仕切用突部が形成されているため、隣り合う第一仕切用突部によってディスクケースが挟まれて位置決め保持されることになる。また、前記ディスクケース収納部の幅方向における他端側には、前記第一仕切用突部間を前記ディスクケース収納部の幅方向に沿って延長した位置に第二仕切用突部が形成されているため、隣り合う第二仕切用突部によってディスクケースが挟まれて位置決め保持される。このように前記第一仕切用突部と前記第二仕切用突部間には、仕切用リブが存在しなくてもディスクケースを位置決め保持することができ、しかも仕切用リブにより生じるデッドスペースを無くすことができ、ディスクケースの収納数あるいは収納スペースを増やすことができる。また、ディスクケース用収納ボックスのサイズをコンパクトにすることが可能となる。さらに、前記ディスクケース収納部内の幅方向における一端側に形成されている第一仕切用突部と前記幅方向の他端側の側壁間の底面に載置されたディスクケースは、前記第一仕切用突部によって前記幅方向の他端側に突出し、また、前記ディスクケース収納部内の幅方向における他端側に形成されている第二仕切用突部と前記幅方向の一端側の側壁間の底面に載置されたディスクケースは、前記第二仕切用突部によって前記幅方向の一端側に突出する。したがって、前記ディスクケース収納部内に収納された複数のディスクケースは、前記第一仕切用突部と前記第二仕切用突部によって、前記ディスクケース収納部内の幅方向両端において一つおきに外方へ突出することになり、目的のディスクケースをディスクケース収納部から掴み出し易くなる。
【発明を実施するための最良の形態】
【００１１】
以下この発明の実施形態を詳細に説明する。図１は本発明の第一実施例にかかるディスクケース用収納ボックスの斜視図、図２は同第一実施例の平面図、図３は同第一実施例の一部切り欠き斜視図、図４は同第一実施例におけるディスクケースの収納を示す一部切り欠き斜視図、図５は同第二実施例におけるディスクケース用収納ボックスの斜視図、図６は同第二実施例の平面図、図７は同第二実施例の一部切り欠き斜視図、図８は同第二実施例におけるディスクケースの収納を示す一部切り欠き斜視図、図９は本発明の第三実施例にかかるディスクケース用収納ボックスの斜視図、図１０は同第三実施例の平面図、図１１は同第三実施例の一部切り欠き斜視図、図１２は同第三実施例におけるディスクケースの収納を示す一部切り欠き斜視図である。
【００１２】
図１乃至図４に示した第一実施例のディスクケース用収納ボックス１０は、自動車用コンソールボックスとして使用されるもので、上方が開口した略直方体形状からなるディスクケース収納部１１を備える。前記ディスクケース収納部１１は、ＣＤやＤＶＤ等の記録媒体ディスクが着脱可能に収容されるディスクケース４０を立てて複数個並列状態で収納可能な大きさからなり、前記ディスクケース収納部１１の長さ方向Ｌ１に沿う一組の側壁１２ａ，１２ｂと、幅方向Ｗ１に沿う一組の側壁１３ａ，１３ｂと底面１４とで構成される。
【００１３】
前記ディスクケース収納部１１の底面１４には、ディスクケース４０が立てて載置される第一載置部１５と第二載置部２１が、前記ディスクケース収納部１１の長さ方向Ｌ１に対して隣接し、かつ前記ディスクケース収納部１１の幅方向Ｗ１に対して互いに平行に形成されている。また、前記第一載置部１５と第二載置部２１は、前記長さ方向Ｌ１に対して一つおきとなる交互に形成されている。
【００１４】
前記第一載置部１５は、前記ディスクケース収納部１１の幅方向Ｗ１における一端側Ｗ１ａを他端側Ｗ１ｂよりも高くする第一載置部用突部１５Ａが、前記ディスクケース収納部１１内の底面１４に形成されている。また、前記第二載置部２１は、前記幅方向Ｗ１の一端側Ｗ１ａを前記第一載置部１５より低くすると共に、前記幅方向Ｗ１の他端側Ｗ１ｂを前記第一載置部１５の前記幅方向Ｗ１における他端側Ｗ１ｂよりも高くし、かつ前記第二載置部２１の前記幅方向Ｗ１における一端側Ｗ１ａよりも高くする第二載置部用突部２１Ａが前記ディスクケース収納部１１内の底面１４に形成されている。
【００１５】
この第一実施例では、前記第一載置部用突部１５Ａは、その上面１６が、前記幅方向Ｗ１の一端側Ｗ１ａで高く、他端側Ｗ１ｂで低くなる傾斜面で構成され、側面視形状が略三角形の楔形状をしている。前記第一載置部用突部１５Ａの上面１６は、前記ディスクケース４０を立てた状態で載置可能な大きさとされている。
【００１６】
また、この第一実施例では、前記第二載置部用突部２１Ａは、その上面２２を、前記第一載置部用突部１５Ａの上面１６が高くなる前記幅方向Ｗ１の一端側Ｗ１ａで前記第一載置部用突部１５Ａの上面１６より低く、前記前記第一載置部用突部１５Ａの上面１６が低くなる前記幅方向Ｗ１の他端側Ｗ１ｂで前記第一載置部用突部１５Ａの上面１６より高くなる傾斜面で構成されている。図示の例では、前記第二載置部用突部２１Ａは、前記第一載置部用突部１５Ａとは傾斜方向が反対の対称形状とされている。また、前記第二載置部用突部２１Ａの上面２２は、前記ディスクケース４０を立てた状態で載置可能な大きさとされている。
【００１７】
前記第一載置部１５及び前記第二載置部２１が形成された前記ディスクケース収納部１１内の底部は、前記幅方向一端側Ｗ１ａについては、前記第二載置部用突部２１Ａの低い端部とその両側の前記第一載置部用突部１５Ａの高い端部とにより溝３１が構成される。したがって、前記第二載置部２１（この実施例では第二載置部用突部２１Ａの上面２２）にディスクケース４０ａを載置すれば、前記一端側Ｗ１ａではディスクケース４０ａが前記第一載置部用突部１５Ａにより挟まれて位置決め保持されることになる。また、前記幅方向他端側Ｗ１ｂでは、前記第一載置部用突部１５Ａの低い端部とその両側の前記第二載置部用突部２１Ａの高い端部とにより溝３２が構成される。したがって、前記第一載置部１５（この実施例では第一載置部用突部１５Ａの上面１６）にディスクケース４０ｂを載置すれば、前記他端側Ｗ１ｂではディスクケース４０ｂが第二載置部用突部２１Ａにより挟まれて位置決め保持される。なお、前記長さ方向Ｌ１の両端部では、一方の側壁１３ａ，１３ｂと前記第一載置部用突部１５Ａの高い端部あるいは前記第二載置部用突部２１Ａの高い端部との間で溝３３が構成されるため、前記長さ方向Ｌ１の端に位置する前記第一載置部１５あるいは前記第二載置部２１に載置されたディスクケース４０は、前記溝３３により位置決め保持される。
【００１８】
さらに、前記第一載置部用突部１５Ａと前記第二載置部用突部２１Ａの上面１６，２２は、互いに反対方向へ傾斜しているため、前記第一載置部用突部１５Ａの上面１６に立てて載置されたディスクケース４０ｂと前記第二載置部用突部２１Ａの上面２２に立てて載置されたディスクケース４０ａとは、互いに反対方向へ傾斜した状態となり、前記ディスクケース収納部１１内の幅方向両端Ｗ１ａ，Ｗ１ｂ側では、ディスクケース４０の上部コーナー部４１が一つおきに上方へ突出した状態となり、目的のディスクケースをディスクケース収納部１１から掴み出し易くなる。
【００１９】
図５乃至図８に示した第二実施例のディスクケース用収納ボックス１００は、第一載置部１５０の第一載置部用突部１５０Ａと、第二載置部２１０の第二載置部用突部２１０Ａの部分が、前記第一実施例のディスクケース用収納ボックス１０における前記第一載置部用突部１５Ａと第二載置部用突部２１Ａと相違する点を除き、他の構成については前記第一実施例のディスクケース用収納部１０と同様である。第二実施例を示す図５〜図９における符号１１０はディスクケース収納部、１２０ａ，１２０ｂは長さ方向Ｌ２に沿う一組の側壁、１３０ａ，１３０ｂは幅方向Ｗ２に沿う一組の側壁、１４０は底面である。なお、この実施例では、前記第一載置部１５０と前記第二載置部２１０の境界には仕切線が存在しないが、理解を容易にするため、図６及び図７においては、前記第一載置部１５０と前記第二載置部２１０の境界位置に仮想の鎖線を引いた。
【００２０】
前記第一載置部１５０の第一載置部用突部１５０Ａは、前記幅方向Ｗ２の一端側Ｗ２ａの底面１４０に所要高さで形成され、それによって前記幅方向Ｗ２の一端側Ｗ２ａが他端側Ｗ２ｂよりも高くされている。また、前記第二載置部２１０の第二載置部用突部２１０Ａは、前記幅方向Ｗ２の他端側Ｗ２ｂの底面１４０に所要高さで形成され、それによって前記幅方向Ｗ２の他端側Ｗ２ｂが一端側Ｗ２ａよりも高くされている。前記第一載置部用突部１５０Ａと第二載置部用突部２１０Ａは、前記長さ方向Ｌ２に対して一つおきとなる交互に形成されている。
【００２１】
前記第一載置部１５０及び前記第二載置部２１０が形成された前記ディスクケース収納部１１０内の底部は、前記幅方向一端側Ｗ２ａについては、前記第二載置部２１０の低い端部とその両側の前記第一載置部１５０の高い端部（第一載置部用突部１５０Ａ）とにより溝３１０が構成される。したがって、前記幅方向Ｗ２における一端側Ｗ２ａの側壁１２０ａ側の底面１４０から他端側Ｗ２ｂの前記第二載置部用突部２１０Ａの上面間で構成される前記第二載置部２１０に、ディスクケース４００ａを載置すれば、前記一端側Ｗ２ａではディスクケース４００ａが前記第一載置部用突部１５０Ａにより挟まれて位置決め保持されることになる。また、前記幅方向他端側Ｗ２ｂでは、前記第一載置部１５０の低い端部とその両側の前記第二載置部２１０の高い端部（第二載置部用突部２１０Ａ）とにより溝３２０が構成される。したがって、前記幅方向Ｗ２における他端側Ｗ２ｂの側壁１２０ｂ側の底面１４０から前記一端側Ｗ２ａの前記第一載置部用突部１５０Ａの上面間で構成される前記第一載置部１５０にディスクケース４００ｂを載置すれば、前記他端側Ｗ２ｂではディスクケース４００ｂが第二載置部用突部２１０Ａにより挟まれて位置決め保持される。なお、前記長さ方向Ｌ２の両端部では、一方の側壁１３０ａ，１３０ｂと前記第一載置部１５０の高い端部（第一載置部用突部１５０Ａ）あるいは前記第二載置部２１０の高い端部（第二載置部用突部２１０Ａ）との間で溝３３０が構成されるため、前記長さ方向Ｌ２の端に位置する前記第一載置部１５０あるいは前記第二載置部２１０に載置されたディスクケース４００は、前記溝３３０により位置決め保持される。
【００２２】
さらに、前記第一載置部用突部１５０Ａと前記第二載置部用突部２１０Ａは、前記長さ方向に一つおきに、しかも前記幅方向Ｗ２の反対側に形成されているため、前記第一載置部１５０に立てて載置されたディスクケース４００ｂと前記第二載置部２１０に立てて載置されたディスクケース４００ａとは、互いに反対方向へ傾斜した状態となり、前記ディスクケース収納部１１０内の幅方向両端Ｗ２ａ，Ｗ２ｂ側では、ディスクケース４００の上部コーナー部４１０が一つおきに上方へ突出した状態となり、目的のディスクケースをディスクケース収納部１１０から掴み出し易くなる。
【００２３】
図９乃至図１２に示した第三実施例のディスクケース用収納ボックス５０は、自動車用コンソールボックスとして使用されるもので、上方が開口した略直方体形状からなるディスクケース収納部５１を備える。前記ディスクケース収納部５１は、ＣＤやＤＶＤ等の記録媒体ディスクが着脱可能に収容されるディスクケース８０を立てて複数個並列状態で収納可能な大きさからなり、前記ディスクケース収納部５１の長さ方向Ｌ３に沿う一組の側壁５２ａ，５２ｂと、幅方向Ｗ３に沿う一組の側壁５３ａ，５３ｂと底面５４とで構成される。
【００２４】
前記ディスクケース収納部５１には、前記ディスクケース収納部５１の幅方向Ｗ３における一端側Ｗ３ａの側壁５２ａ又は一端側の底面５４の何れか一方にあるいは前記一端側Ｗ３ａの側壁５２ａと底面５４の両方にまたがって（本実施例では前記側壁５２ａと底面５４の両方にまたがって）、前記ディスクケース収納部５１の長さ方向Ｌ３に対して所定間隔で第一仕切用突部５５が形成され、前記第一仕切用突部５５と前記幅方向Ｗ３の他端側Ｗ３ｂの側壁５２ｂ間の底面５４がディスクケースの第一載置部５６とされる。また、前記ディスクケース収納部５１の幅方向Ｗ３における他端側Ｗ３ｂにおいては、前記第一仕切用突部５５間を前記ディスクケース収納部５１の幅方向Ｗ３に沿って延長した位置の側壁５２ｂ又は他端側Ｗ２ｂの底面５４の何れか一方にあるいは両方にまたがって（本実施例では前記側壁５２ｂと底面５４の両方にまたがって）、第二仕切用突部５７が形成され、前記第二仕切用突部５７と前記幅方向一端側Ｗ３ａの側壁５２ａ間の底面５４がディスクケースの第二載置部５８とされる。前記第一仕切用突部５５及び前記第二仕切用突部５７のそれぞれにおける前記長さ方向Ｌ３の間隔は、前記ディスクケースの厚みと同じあるいは僅かに大とされる。なお、この実施例では、前記第一載置部５６と前記第二載置部５８の境界には仕切線が存在しないが、理解を容易にするため、図１０及び図１１においては、前記第一載置部５６と前記第二載置部５８の境界位置に仮想の鎖線を引いた。
【００２５】
前記第一仕切用突部５５及び前記第二仕切用突部５７が形成された前記ディスクケース収納部５１内の底部は、前記幅方向一端側Ｗ３ａについては、前記第一仕切用突部５５間が溝５９を構成する。したがって、前記第二載置部５８にディスクケース８０ａを載置すれば、前記一端側Ｗ３ａではディスクケース８０ａが前記第一仕切用突部５５により挟まれて位置決め保持されることになる。また、前記幅方向他端側Ｗ３ｂでは、前記第二仕切用突部５７間が溝６０を構成する。したがって、前記第一載置部５６にディスクケース８０ｂを載置すれば、前記他端側Ｗ３ｂではディスクケース８０ｂが第二仕切用突部５７により挟まれて位置決め保持される。なお、前記長さ方向Ｌ３の両端部では、一方の側壁５３ａ，５３ｂと前記第一仕切用突部５５あるいは前記第二仕切用突部５７との間が溝６１を構成し、前記長さ方向Ｌ３の端に収納されたディスクケース８０が、前記溝６１により位置決め保持される。
【００２６】
さらに、前記第一載置部５６に立てた状態で載置されたディスクケース８０ｂは、前記第一仕切用突部５５によって前記幅方向他端側Ｗ３ｂへ突出し、それに対して前記第二載置部５８に載置されたディスクケース８０ａは、前記第二仕切用突部５７によって前記幅方向一端側Ｗ３ａへ突出した状態となり、目的のディスクケースをディスクケース収納部から掴み出し易くなる。
【００２７】
なお、本発明は前記実施例に限定されるものではなく、本発明の趣旨を逸脱しない範囲において変更可能である。例えば、前記側壁は前記実施例では上端で折り返された二重構造とされているが、一重構造のものでもよく、また、前記第一及び第二載置部、あるいは前記第一及び第二仕切用突部は、底面を上下方向へ屈曲させて裏側が中空に形成されているが、平板状の底面に立設された中実体で構成されてもよい。
【図面の簡単な説明】
【００２８】
【図１】本発明の第一実施例にかかるディスクケース用収納ボックスの斜視図である。
【図２】同第一実施例の平面図である。
【図３】同第一実施例の一部切り欠き斜視図である。
【図４】同第一実施例におけるディスクケースの収納を示す一部切り欠き斜視図である。
【図５】本発明の第二実施例にかかるディスクケース用収納ボックスの斜視図である。
【図６】同第二実施例の平面図である。
【図７】同第二実施例の一部切り欠き斜視図である。
【図８】同第二実施例におけるディスクケースの収納を示す一部切り欠き斜視図である。
【図９】本発明の第三実施例にかかるディスクケース用収納ボックスの斜視図である。
【図１０】同第三実施例の平面図である。
【図１１】同第三実施例の一部切り欠き斜視図である。
【図１２】同第三実施例におけるディスクケースの収納を示す一部切り欠き斜視図である。
【図１３】従来のディスクケース用収納ボックスの一部を示す斜視図である。
【図１４】従来のディスクケース用収納ボックスの一部を示す正面図である。
【符号の説明】
【００２９】
１０，１００  第一、第二実施例のディスクケース用収納ボックス
１１，１１０  第一、第二実施例におけるディスクケース収納部
１２ａ，１２ｂ，１２０ａ，１２０ｂ  第一、第二実施例における幅方向両端の側壁
１４，１４０  第一、第二実施例における底面
１５，１５０  第一、第二実施例における第一載置部
１５Ａ，１５０ａ  第一、第二実施例における第一載置部用突部
１６  第一実施例における第一載置部の上面
２１，２１０  第一、第二実施例における第二載置部
２１Ａ，２１０Ａ  第一、第二実施例における第二載置部用突部
２２  第一実施例における第二載置部の上面
３１，３２，３３，３１０，３２０，３３０  第一、第二実施例における溝
５０  第三実施例のディスクケース用収納ボックス
５１  第三実施例のディスクケース収納部
５２ａ，５２ｂ  第三実施例における幅方向両端の側壁
５４  第三実施例における底面
５５  第三実施例における第一仕切用突部
５６  第三実施例における第一載置部
５７  第三実施例における第二仕切用突部
５８  第三実施例における第二載置部
５９，６０，６１  第三実施例における溝
４０，４００，８０  ディスクケース
Ｗ１，Ｗ２，Ｗ３  幅方向
Ｗ１ａ，Ｗ２ａ，Ｗ３ａ  幅方向一端側
Ｗ１ｂ，Ｗ２ｂ，Ｗ３ｂ  幅方向他端側
Ｌ１，Ｌ２，Ｌ３  長さ方向
【図１】
2005263303.tif 000003
【図２】
2005263303.tif 000004
【図３】
2005263303.tif 000005
【図４】
2005263303.tif 000006
【図５】
2005263303.tif 000007
【図６】
2005263303.tif 000008
【図７】
2005263303.tif 000009
【図８】
2005263303.tif 000010
【図９】
2005263303.tif 000011
【図１０】
2005263303.tif 000012
【図１１】
2005263303.tif 000013
【図１２】
2005263303.tif 000014
【図１３】
2005263303.tif 000015
【図１４】
2005263303.tif 000016